(57)【特許請求の範囲】
【請求項１】
鍋などの被加熱物を載置する天板と、
前記天板の下方にほぼ均一に分散配置された複数の誘導加熱コイルと、
載置された被加熱物の位置を検出する被加熱物検出手段と、
被加熱物が載置されていない領域に他の被加熱物を載置可能か否か判断する載置可能性判断手段と、
前記載置可能性判断手段の判断結果に応じて、他の被加熱物の載置可能領域を表示する表示手段と、
を備え、
前記載置可能性判断手段は、
駆動されている前記誘導加熱コイルの数が所定の閾値以下であれば、前記他の被加熱物を載置可能であると判断する
ことを特徴とする誘導加熱調理器。
【請求項２】
鍋などの被加熱物を載置する天板と、
前記天板の下方にほぼ均一に分散配置された複数の誘導加熱コイルと、
載置された被加熱物の位置を検出する被加熱物検出手段と、
被加熱物が載置されていない領域に他の被加熱物を載置可能か否か判断する載置可能性判断手段と、
前記載置可能性判断手段の判断結果に応じて、他の被加熱物の載置可能領域を表示する表示手段と、
を備え、
前記載置可能性判断手段は、載置された被加熱物同士の間隔或いは載置された被加熱物と前記天板の端部との間隔を所定距離と比較し、所定距離より大きければ他の被加熱物を載置可能と判断するものであることを特徴とする誘導加熱調理器。
【請求項３】
鍋などの被加熱物を載置する天板と、
前記天板の下方にほぼ均一に分散配置された複数の誘導加熱コイルと、
載置された被加熱物の位置を検出する被加熱物検出手段と、
被加熱物が載置されていない領域に他の被加熱物を載置可能か否か判断する載置可能性判断手段と、
前記載置可能性判断手段の判断結果に応じて、他の被加熱物の載置可能領域を表示する表示手段と、
を備え、
使用する被加熱物の大きさを記憶する記憶手段を備え、
前記載置可能性判断手段は、載置された被加熱物同士の間隔或いは載置された被加熱物と前記天板の端部との間隔を前記記憶手段に記憶された被加熱物のうち載置されていない被加熱物の大きさと比較し、前記間隔が載置されていない被加熱物の大きさより大きい場合には他の被加熱物を載置可能と判断するものであることを特徴とする誘導加熱調理器。
【請求項４】
前記表示手段は、本体の上面の周縁に帯状に設けられ、被加熱物の載置領域に対応する部分と、他の被加熱物が載置可能な領域に対応する部分とを異なる表示で表すものであることを特徴とする請求項１〜３の何れか一項に記載の誘導加熱調理器。
【請求項５】
前記表示手段は、前記天板の下方に設けられた複数の光源を点灯することにより、他の被加熱物が載置可能な領域を面状に表すものであることを特徴とする請求項１〜３の何れか一項に記載の誘導加熱調理器。
【請求項６】
前記表示手段は、本体の側方または上方に設けられた光源により本体上面を照らすことにより、他の被加熱物が載置可能な領域を面状に表すものであることを特徴とする請求項１〜３の何れか一項に記載の誘導加熱調理器。
【請求項７】
前記載置可能性判断手段は、載置された被加熱物の個数が所定個数以下であれば他の被加熱物を載置可能と判断するものであることを特徴とする請求項１〜３の何れか一項に記載の誘導加熱調理器。
【請求項８】
前記載置可能性判断手段は、使用中の電力量が所定量以下であれば他の被加熱物を載置可能と判断するものであることを特徴とする請求項１〜３の何れか一項に記載の誘導加熱調理器。
【請求項９】
前記被加熱物の温度を検知する赤外線検出手段を備え、
前記表示手段は、前記赤外線検出手段が検知した温度の高低に応じて前記被加熱物に対応する部分の表示色を変えることを特徴とする請求項１〜８のいずれかに記載の誘導加熱調理器。
【請求項１０】
載置された被加熱物の載置位置に対応する前記表示手段の表示部分の近傍に前記表示手段の表示を消す操作手段を備えたことを特徴とする請求項１〜９のいずれかに記載の誘導加熱調理器。
【請求項１１】
前記被加熱物検出手段は、前記誘導加熱コイルの隙間に配置された容量検知手段であることを特徴とする請求項１〜１０のいずれかに記載の誘導加熱調理器。
【発明の詳細な説明】
【技術分野】
【０００１】
この発明は、誘導加熱コイルを用いた誘導加熱調理器に関するものであり、特に、鍋などの被加熱物の天板上の配置位置とその表示に関するものである。
【背景技術】
【０００２】
従来の誘導加熱調理器においては、トッププレート上の被加熱物を加熱する複数（３つ）の加熱部と、被加熱物の加熱状態を表示する火力表示部と、操作部とを備え、複数の加熱部のすべてを誘導加熱コイルを含む加熱部とするとともに、火力表示部をトッププレート上において、それぞれの加熱部に対応させて各加熱部の近くに複数の操作部を各火力表示部に併設させ、さらに加熱部による火力を火力表示部に数値化して表示することにより、各加熱部との関連において火力状態を見ながら視線を変えることなく、火力変更など個別の操作ができるという使い勝手の良いものがあった（例えば特許文献１参照）。
【０００３】
また、調理容器を載置する天板の下方に２つの誘導加熱コイルを配設するとともに、各誘導加熱コイルに対応してその近傍に温度検知器と誘導加熱コイルの火力を複数色で表示する２つの火力表示器と、誘導加熱コイルの動作状態を表示する２つの加熱状態表示器と、制御回路とを備え、温度検知器等の出力に応じて天板の誘導加熱コイル上方への調理容器の有無や調理容器の材質を検出する鍋検出手段を設けると共に、制御回路を、鍋検出手段により鍋有りを検出した時には調理内容に応じて加熱状態表示器を異なる色で点灯駆動し、鍋無し等を検出した時には火力表示器と加熱状態表示器を点滅駆動する様に構成したものがあった（例えば特許文献２参照）。
【０００４】
また、負荷を載置する天板と、負荷を加熱制御する加熱手段の加熱動作を操作する２つのタッチ操作部とを備え、それぞれのタッチ操作部の操作部は、天板の下方に配置した表示文字と点灯時に天板を透過して表示文字を表示するバックライトとを有し、操作部を非表示の時には、表示文字も含めて操作部全体を消灯状態とするとともに操作部の操作を無効とすることにより、使用者に無効であるということをはっきりと認識させることができ、使い勝手を良くしたものがあった（例えば特許文献３参照）。
【０００５】
【特許文献１】特開２００７−１８７８６号公報（第２頁〜第４頁、図１、図２）
【特許文献２】特開２００３−１９７３６０号公報（第４頁、図２）
【特許文献３】特開２００７−１０７８００号公報（第５頁、図１、図３、図５）
【発明の開示】
【発明が解決しようとする課題】
【０００６】
しかしながら、特許文献１〜３に記載された従来の加熱調理器のいずれも、天板上の鍋などの被加熱物の固定された載置位置に対応して火力表示部や加熱状態表示器や操作部も固定されていた。このため、ユーザーは被加熱物を天板上の自由な位置に載置することができず、操作性の自由度が大きく損なわれるという問題点があった。
また、被加熱物を天板上の自由な位置に載置することができるようにすると、被加熱物のサイズや形状に制限がないという利便性はあるものの、どの位置に被加熱物を追加して載置できるのかがわかりにくいという問題があった。
【０００７】
この発明は、上記のような課題を解決するためになされたものであり、第１の目的は鍋などの被加熱物を天板上の自由な位置に配置でき、天板上の、被加熱物の占有領域、追加して被加熱物が置ける領域、および追加して置けない領域をユーザーが直感的に理解できる誘導加熱調理器を得ることにある。
【課題を解決するための手段】
【０００８】
この発明に係る誘導加熱調理器は、鍋などの被加熱物を載置する天板と、前記天板の下方にほぼ均一に分散配置された複数の誘導加熱コイルと、載置された被加熱物の位置を検出する被加熱物検出手段と、被加熱物が載置されていない領域に他の被加熱物を載置可能か否か判断する載置可能性判断手段と、前記載置可能性判断手段の判断結果に応じて、他の被加熱物の載置可能領域を表示する表示手段と、を備え、前記載置可能性判断手段は、駆動されている前記誘導加熱コイルの数が所定の閾値以下であれば、前記他の被加熱物を載置可能であると判断するものである。
【発明の効果】
【０００９】
この発明に係る誘導加熱調理器によれば、鍋などの被加熱物を載置する天板と、前記天板の下方にほぼ均一に分散配置された複数の誘導加熱コイルと、載置された被加熱物の位置を検出する被加熱物検出手段と、被加熱物が載置されていない領域に他の被加熱物を載置可能か否か判断する載置可能性判断手段と、前記載置可能性判断手段の判断結果に応じて、他の被加熱物の載置可能領域を表示する表示手段と、を備え、前記載置可能性判断手段は、駆動されている前記誘導加熱コイルの数が所定の閾値以下であれば、前記他の被加熱物を載置可能であると判断するので、ユーザーは鍋などの被加熱物を天板上の自由な位置に配置でき、天板上の、被加熱物の占有領域、追加して被加熱物が置ける領域、および追加して置けない領域をユーザーが直感的に理解できる。
【発明を実施するための最良の形態】
【００１０】
実施の形態１．
図１はこの発明に係る誘導加熱調理器の斜視図であり、同時に天板を透視した状態を示しており、誘導加熱コイルの配置状況を分かりやすく図示している。図１に示すように、誘導加熱調理器は、本体１と、本体の上部に設けられ、鍋などの被加熱物２を載置可能な天板３と、天板３の下方に設けられた誘導加熱コイル４と、天板３の手前に設けられた表示部５と図示しないタッチパネルと、本体１側に設けられた本体側操作部６とロースタ７から構成される。なお、表示部５は表示手段を構成し、タッチパネルは操作表示手段を構成する。また、図１に示すように、天板３の下方には、比較的小型の誘導加熱コイル４（以下、小型コイルと呼ぶこともある）がほぼ均一的に分散配置されている。
【００１１】
また、図２は天板３と表示部５のレイアウトを示した図であり、図２（ａ）では、表示部５の表示領域は、図２（ａ）に示すように天板３の手前側でしかも天板３の縁に沿って天板の両端に渡って左右方向（以下、Ｘ軸方向と呼ぶこともある）に線状に連続して表示される。この表示部５は本体の横または裏側に設けられた電源スイッチが押されるまでは表示されず、電源スイッチを押すと、すべての領域が白色に点灯する。この白色は鍋などの被加熱物が載置可能であることを示している。なお、この実施の形態１では被加熱物を天板３の左右方向に略一列に配置する場合について説明する。図２（ｂ）は対面式の誘導加熱調理器の場合を想定したものであり、手前側のＸ軸方向と奥側のＸ軸方向に帯状の表示部５を配した例を示す図である。手前側と奥側の双方に表示部５が表示され、手前側と奥側のいずれからも調理が可能である。
【００１２】
また、図３はこの発明に係る誘導加熱調理器の被加熱物の載置位置に連動した表示部５の表示例を示す図である。図３（ａ）では、被加熱物２として天板３の略中央に載置された鍋と右側に載置されたフライパンのそれぞれに対応する手前側の表示部５の色が赤く点灯して調理中であるところを示すとともに、表示部５の左端が白色のままで被加熱物を追加可能であることを示している。図３（ｂ）では、被加熱物２として天板３の略中央に載置された鍋に対応する手前側の表示部５の色が赤く点灯して調理中であるところを示すとともに、その両側の表示部５は白色のままで更に２つの被加熱物が載置可能であることを示している。また、図３（ｃ）では、被加熱物２として天板３の左側に載置された大きなパントレイに対応する手前側の表示部５の色が緑色に点灯して載置したところを示すとともに、表示部の右側は白色のままで被加熱物を追加可能であることを示している。ここで、ユーザーが加熱調理を行わない金属のボウルを天板上に置いた場合、洗った鍋を取り敢えず天板上に置いた場合、保存しておいた料理が入った鍋を取り敢えず天板上に出してまだ加熱しなくていい場合等、物の載置に対応して操作部が表示されることにより却って不安に感じる場合がある。そこで、図３（ａ）〜図３（ｃ）に示すように、各加熱物２の手前に表示を消すための操作部７３として非表示ボタンを表示する。非使用の場合には、この操作部７３（非表示ボタン）を操作することで表示部５の色が元の白に戻るように構成されている。なお、操作部７３は操作手段を構成する。
【００１３】
また、図４はこの発明に係る誘導加熱調理器の誘導加熱コイル（小型コイル）４のレイアウトを示す図である。図４（ａ）に示すように、小型コイル４をグリッド状に配置しても良いし、図４（ｂ）に示すように、小型コイル４をハニカム状に配置しても良いし、図４（ｃ）に示すように、従来の大型の誘導加熱コイルと上記小型コイル４を混在させて配置しても良い。
【００１４】
また、図５は被加熱物２検出用のセンサー（図７に示すセンサー７６）としてサーミスタなどの赤外線を検出する温度検出手段あるいは小型コイル４間の容量を検出する容量検出手段を用いた場合のレイアウトを示す図であり、センサーを図５（ａ）に示すように小型コイル４間の隙間に配置しても良いし、図５（ｂ）に示すように小型コイル４の中心に配置しても良いし、図５（ｃ）に示すように小型コイル４間の隙間および小型コイル４の中心に配置しても良い。
図５（ａ）〜（ｃ）の黒丸で示された複数のセンサー７６によって天板３上の被加熱物の載置位置がセンシングされる。被加熱物が天板上に載置されると、センサー７６が天板上の被加熱物の載置位置を検知し、これに基づいて加熱調理器の図示しない制御手段が鍋の天板３上の被加熱物の配置位置（具体的には中心位置）と大きさ（底径）を算出し、これに基づいて被加熱物の占有領域に対向する表示部５の部分の色を白から緑色に変化させる。また、ユーザーが加熱開始の操作を行うと、制御手段は被加熱物の占有領域に対向する部分の小型コイル４を制御して加熱を開始し、表示部５の被加熱物に対応する部分の色はオレンジ色に変化する。そして、制御手段は被加熱物の加熱温度に連動して表示部５の色を例えばオレンジ色から赤色に変化させる。
センサーが温度検出手段の場合、誘導加熱調理器は、加熱開始後、所定の時間が経過してから全ての温度検出手段のうち、温度が所定の値（例えば、７０℃）より高くなった温度検出手段を特定し、特定した温度検出手段の真上に被加熱物２があるものと判断し、特定した複数の温度検出手段の配置位置から天板３上の被加熱物２の配置位置と大きさを算出する。
【００１５】
また、図６は被加熱物２のセンサーとして発光手段と受光手段を用いた場合の光の照射方法を分かりやすく示した説明図であり、図６（ａ）に示すようにセンサーをユーザー側の天板３側面に設けても良いし、図６（ｂ）に示すように天板３の上方に配置しても良い。また、図示していないが、センサーを天板３の斜め上方に配置しても良い。この場合、誘導加熱調理器は、発光手段からの放射光が受光手段に受光されるときの光の入射角度とセンサーの配置位置および天板３の配置位置と大きさに基づいて天板３上の被加熱物２の配置位置と大きさを算出することができる。なお、センサーを天板３側面に設ける場合には、２台のセンサーを異なる位置に設けると精度が良くなる。あるいは、１台のセンサーを天板３の縁に沿って設けられたレール上に乗せて走らせるなどして水平方向に移動可能に構成して、このセンサーを移動させながら被加熱物２を観測することにより、被加熱物２を検出できたセンサーの位置に基づき被加熱物２の配置位置を検出するようにしても良い。これについては、水平方向だけでなく、上下方向についても同じことが言える。
【００１６】
また、図７は、この発明に係る誘導加熱調理器の実施の形態１における回路構成を示すブロック図である。図７に示すように誘導加熱調理器は、商用交流電力を直流電力に変換するコンバータ７１とコンバータ７１の出力を高周波の交流電力に変換するインバータ７２と、操作部７３を用いてユーザーによって設定された火力設定情報に基づいて、出力周波数を設定し、ＰＷＭ演算を行い、インバータ駆動信号を生成してインバータ７２を制御する制御手段７４と、インバータ７２によって駆動され共振コンデンサ７５とともに動作して高周波磁界を発生する誘導加熱コイル（小型コイル）４と、誘導加熱コイル４の中心または誘導加熱コイル４同士の間に設けられ、天板３上の被加熱物２を検出するセンサー７６と、センサー７６から出力された信号を増幅して基準値と比較してノイズを除去し、Ａ／Ｄ変換する鍋検出回路７７と、天板３の周囲に設けられた表示部５および操作部７３の表示領域であるタッチパネル７８とから構成される。なお、操作部７３には非表示ボタンも含まれる。
なお、図７において、誘導加熱コイル４、共振コンデンサ７５、センサー７６は１つだけ示されているが、実際には多数配置されている。
また、制御手段７４が鍋検出回路７７の出力に基づいて被加熱物２が無いと判定した場合には、誘導加熱コイル４に高周波電流を供給しないようにインバータ７２を制御する。
【００１７】
また、制御手段７４はマイクロコンピュータやＤＳＰなどで構成され、被加熱物２の有無を判断するときには鍋検出回路７７の出力を予め設定した基準値と比較し、この出力が基準値を超えたときに被加熱物２有りと判定し、被加熱物２の位置と大きさを判断する。
また、インバータ７２からの高周波電流の周波数が共振周波数のときに誘導加熱コイル４は最大の磁界すなわち最大加熱力を出力する。
また、センサー７６は図４に示す温度検出手段あるいは容量検出手段、あるいは図５に示す発光手段および受光手段等、物が置かれている領域を検知できる手段が用いられる。
また、上記説明では被加熱物２として鍋を例に挙げて説明したが、鍋に限定されるものでなく、他の金属製容器（特に鉄系容器）でも良い。
【００１８】
また、表示部５はＬＥＤやＬＣＤで構成されるが、有機ＥＬ、ＣＲＴ、ＰＤＰ（プラズマディスプレイ）、小型プロジェクター、ＤＬＰ（登録商標）など表示できる微少素子を多数個配置して構成され連続領域を表示できる材料で構成されるものであればどのようなものを用いて構成しても良い。また、表示部５を天板３の周囲にその縁に沿って設け、操作部７３の画像と画像の中心位置（座標）と対応させて記憶手段に予め記憶させておき、必要時に制御手段７４が表示部５の被加熱物を投影した領域に合わせて操作部７３の表示を行うことができる。  また、操作部７３（非表示ボタン）の画像を予め記憶手段に記憶させておき、制御手段７４が被加熱物２の中心位置に合わせて操作部７３の画像を表示し、制御手段７４がユーザーによって操作された操作部７３の位置を制御手段７４によって算出された天板上の被加熱物２の中心位置と照合することで、どの被加熱物２の操作部７３が押されたかを特定することができる。
なお、この他に本体１側に設けられた本体側操作部６とロースタ７の制御回路もあるが、この発明とは関係ないため、説明を省略する。
【００１９】
図８は、この発明に係る誘導加熱調理器の天板３上での被加熱物２と表示部５の表示との関係を示す説明図である。
次に、被加熱物２と表示部５の表示との関係について図８を用いて説明する。
調理を行う場合には、まずユーザーは誘導加熱調理器本体１の例えば横や背面に設けられた図示しない主電源用スイッチを投入する。これにより、誘導加熱調理器の上部は図８（ａ）の状態から図８（ｂ）に示すように誘導加熱調理器の天板３の手前側の縁に沿って左右方向（Ｘ軸方向）に天板の両端に渡って被加熱物２の載置が可能であることを示す白色の表示部５が表示され、同時に制御手段７４が周期的に天板３上に被加熱物２が載置されたか否かをセンサー７６を用いて監視する。
ユーザーが天板３の上に被加熱物２として例えば鍋を載置すると、図８（ｃ）に示すように鍋の手前の表示部５の鍋の大きさ（底径）と同じサイズの領域（部分）の表示色が白色から緑色に変わり、さらにこの表示領域の中心の手前に操作部７３（非表示ボタン）が表示される。また、緑色の表示領域の両側は白色のままで、追加して被加熱物が置けることを示す。
なお、上記表示部５の緑色の表示領域は被加熱物２を表示部５へ投影した領域に対応する。
【００２０】
ユーザーが被加熱物を天板上で移動あるいは持ち上げなどにより天板から離した後再び天板上に載置した場合に、被加熱物の占有領域を示す表示部５の表示が元の位置のままであると表示と被加熱物とが対応しなくなり紛らわしい。そこで、ユーザーが鍋を移動すると、鍋の移動に連動して図８（ｄ）に示すように鍋移動前まで表示していた表示部５の上記緑色の領域が白色に戻ると同時に操作部７３が消去される。また、移動先の鍋の手前の表示部５の鍋の大きさ（底径）と同じサイズの領域（部分）の表示色が再び白色から緑色に変わると同時にこの表示領域の中心の手前に操作部７３が再表示される。
これにより、鍋などの被加熱物を天板上の自由な位置に配置でき、天板上の、被加熱物の占有領域、追加して被加熱物が置ける領域、および追加して置けない領域をユーザーが直感的に理解できる。
【００２１】
図９は、この発明に係る誘導加熱調理器の天板３上での被加熱物２と表示部５の表示との関係、及び操作部７３（非表示ボタン）を押した時の表示を示す説明図である。
次に、被加熱物２と表示部５の表示との関係について図９を用いて説明する。
調理を行う場合には、まずユーザーは誘導加熱調理器本体１の例えば横や背面に設けられた図示しない主電源用スイッチを投入する。これにより、誘導加熱調理器の上部は図９（ａ）の状態から図９（ｂ）に示すように誘導加熱調理器の天板３の手前側の縁に沿って左右方向（Ｘ軸方向）に天板の両端に渡って被加熱物２の載置が可能であることを示す白色の表示部５が表示され、同時に制御手段７４が周期的に天板３上に被加熱物２が載置されたか否かをセンサー７６を用いて監視する。
ユーザーが天板３の上に被加熱物２として例えば鍋を載置すると、図９（ｃ）に示すように鍋の手前の表示部５の鍋の大きさ（底径）と同じサイズの領域（部分）の表示色が白色から緑色に変わり、さらにこの表示領域の中心の手前に操作部７３が表示される。そこで、ユーザーがこの操作部７３を押すと図９（ｄ）に示すように操作部７３が消去し、同時に表示部５の上記緑色の領域が白色に戻る。
これにより、ユーザーは調理しない被加熱物を直感的に見分けることができ、加熱調理する必要のない被加熱物を誤って加熱調理してしまうという誤操作を回避することができる。
【００２２】
次に、被加熱物２の配置位置の検知方法と、被加熱物２の配置位置に対応する表示部５の表示方法について、一例を説明する。
ここで使用する複数の被加熱物２の大きさ（底径）はすべて異なることを前提としており、また、被加熱物は略一列に左右方向に並べて配置することを前提としている。また、図示しない記憶手段を制御手段の内部または外部に設けておき、使用するすべての被加熱物２とその大きさを対応させてテーブル化して上記記憶手段に記憶させておき、また被加熱物２の天板３上の配置位置と大きさを記憶するように構成する。
以上の条件の下で上記の機能を実現させるために、電源スイッチが投入されると、制御手段７４は起動され、まず、表示部５の全領域に渡って白色の表示を行う。同時に制御手段７４は、誘導加熱コイル４の数に対応するセンサー７６を用いて周期的に天板３上の被加熱物２の配置位置を監視する。そして、被加熱物２が天板３上に載置されたとき、制御手段７４はセンサー７６からの検出信号に基づき被加熱物２の現在の配置位置と大きさを推定し、記憶手段の配置位置を更新するとともに、この推定した被加熱物２の大きさと、上記記憶手段に記憶された被加熱物２の大きさを照合することで天板３上の被加熱物２が鍋なのかやかんなのかフライパンなのかあるいはその他の容器なのかを特定する。そして、特定した被加熱物２の推定した現在の配置位置と、特定した被加熱物２の記憶手段に記憶された情報とを比較し、その結果変化がなかったときには制御手段７４は被加熱物２が移動しなかったと判断する。また、比較の結果、現在の配置位置と前回の配置位置が異なるとき、即ち配置位置に変化があったとき、制御手段７４は調理中に被加熱物２が移動したと判断する。制御手段は、初期時、あるいは比較の結果被加熱物２が移動しなかったと判断すると、載置された被加熱物２の占有領域の真下にあるすべての誘導加熱コイル（小型コイル）４を駆動するとともに表示部５の、被加熱物２の占有領域に対応する領域の表示の状態を被加熱物が載置されていることを示す表示に変え、対応する位置に操作部７３を表示してこの操作部７３の機能を有効にする。
また、制御手段は、被加熱物２が移動したと判断すると、被加熱物２の移動先の配置位置が十分安定する時間経過後に、移動先の被加熱物２の占有領域の真下にあるすべての誘導加熱コイル（小型コイル）４を駆動するとともに表示部５の、移動先の被加熱物２の占有領域に対応する領域の表示の状態を移動前のそれと同じものに変え、対応する位置に操作部７３を表示してこの操作部７３の機能を有効にし、さらに前回の被加熱物の載置領域に対応する誘導加熱コイルを停止するとともに表示部５の前回の被加熱物２の占有領域に対応する領域の表示の状態を初期の表示態様に戻し、前回の被加熱物の配置位置に対応する位置の操作部７３を消去してその機能を無効にする。
なお、操作部７３の機能を有効にすることで、操作部７３はユーザーの操作を入力できるようになる。
【００２３】
図１０は、この発明に係る誘導加熱調理器の実施の形態１の動作を示すフローチャートであり、制御手段の動作を示している。次に、この実施の形態１の動作について図７および図１０を用いて説明する。
ユーザーは、誘導加熱調理器を用いて調理を行う場合、まず誘導加熱調理器本体１に設けられた主電源スイッチ（図示せず）を投入する。これにより、誘導加熱調理器の制御手段７４は動作を開始し、まず、表示部５に全領域が白色の表示を行い（ステップＳ１００１）、一定の時間遅れを周期として周期的にセンサー７６からの検出信号を基に被加熱物２が天板３上に有るか否かを調べ（ステップＳ１００２〜Ｓ１００４）、無ければステップＳ１００２へ戻り監視を継続し、被加熱物２が天板３上に有ればステップＳ１００５へ進む。ユーザーが食品を収納した被加熱物２を天板３の上に載置すると、制御手段７４はセンサー７６が検出した信号から天板３上における被加熱物２が占有する領域を特定し、この占有領域から被加熱物２の中心位置と大きさを算出する（ステップＳ１００５）。
【００２４】
次に、制御手段７４は表示部５の、被加熱物２の占有領域に対応する領域の表示色を緑色に変える（ステップＳ１００６）。次に、制御手段７４は被加熱物２同士の間隔または天板３の端部に最も近い被加熱物２と天板３の端部との間の距離を算出し（ステップＳ１００７）、これらとまだ載置されていない全ての被加熱物２の大きさとを比較して、上記間隔にいずれかの被加熱物が入るか否かを調べる（ステップＳ１００８）。上記間隔にいずれの被加熱物も入らない場合には、その旨をユーザーに伝えるために、表示部５の上記間隔に対応する領域を点滅させて（ステップＳ１００９）、ステップＳ１０１０へ進む。上記間隔にいずれかの被加熱物が入る場合には、そのままステップＳ１０１０へ進む。ステップＳ１０１０では、後述の操作部７３（非表示ボタン）が操作済みか否かを調べる。最初はＮｏだから次のステップＳ１０１１へ進む。
【００２５】
次に、制御手段７４は予め記憶手段に記憶させておいた操作部７３の画像をタッチパネル７８上の、被加熱物２の中心位置付近に表示するとともに、この操作部７３の機能を有効にさせ、ユーザーからの操作入力を受け付ける状態にする（ステップＳ１０１１）。次に、制御手段７４は他に天板３上に他の被加熱物２が有るか否かを調べ、有れば、ステップＳ１００５へ戻り、再び見つかった被加熱物２についてその中心位置と大きさの算出から操作部７３の表示までの動作を、鍋が見つからなくなるまで繰り返す（Ｓ１００５〜Ｓ１０１２）。そして、これ以上見つからなくなれば（ステップＳ１０１２の無）、ユーザーがこの操作部７３を操作するか否か調べる。なお、このときの操作部７３の表示形態は図８（ｃ）または図９（ｃ）に示す通りである。ここで、ユーザーが表示不要と判断した場合、被加熱物２の加熱調理を行う必要がない場合や加熱調理を行いたくない場合、ユーザー自身の意志で操作部７３を押す。これにより操作部７３の座標が制御手段７４に送られ、制御手段７４はこの操作部７３の座標を受信すると、操作部７３の画像を消去させその機能を無効にするとともに、対応する誘導加熱コイルを停止し、表示部５の対応領域の表示を初期状態に戻し（ステップＳ１０１４）、ステップＳ１００２へ戻る。
【００２６】
ユーザーが操作部７３を押さない場合には、制御手段７４は前回の被加熱物２の中心位置が移動されたか否かを監視する。すなわち、制御手段７４は前回の全ての被加熱物２の中心位置と大きさを記憶手段から取得して、今回推定した被加熱物２の大きさと照合する。照合の結果、同じものが抽出できれば、この被加熱物の前回の中心位置と今回推定された中心位置とを比較して変化があるか否かを判定する（ステップＳ１０１５〜Ｓ１０１６）。比較の結果、同じであれば、移動はなかったと判定してステップＳ１００２へ戻り、引き続き監視を継続する。比較の結果、測位に変化が有れば、移動したと判断して、前回の表示部５の表示を元に戻し（ステップＳ１０１７）、前回の操作部７３を消去するとともにその機能を無効にし（ステップＳ１０１８）、前回に対応する誘導加熱コイル４を停止してステップＳ１００５へ戻り移動先の被加熱物の中心位置と大きさ算出、表示部５の表示、操作部７３の表示などを再開する。
【００２７】
なお、被加熱物２の加熱温度に応じて表示部５の表示の色を変化させれば（例えばオレンジ色から赤色に変化させれば）、ユーザーは加熱状態を一目で直感的に理解できるため、より使い勝手の良い加熱調理器が得られる。
【００２８】
なお、図示しないが、制御手段７４に記憶手段を設け、制御手段７４は、センサー７６の出力に基づき、被加熱物２が天板３から離れたと判断すると、誘導加熱コイル４の駆動を停止するとともに、そのときの火力状態を記憶し、所定時間以内に被加熱物２が離れる前の天板３上に配置されたときには、再度記憶手段に記憶された火力状態で被加熱物２が配置された領域に対応する誘導加熱コイル４を駆動し、対応する操作部７３を有効にする。
また、制御手段７４は、センサー７６の出力に基づき、被加熱物２が天板３から離れたと判断した後、所定時間以内に前記被加熱物２が天板３上に再び配置されないときには、表示部５の被加熱物の占有領域位置に対応する領域の表示を被加熱物２が載置される前の表示状態に戻すとともに操作部７３を消去してその機能を無効とする。これにより、不要な表示を消去できる。
【００２９】
図１１は、被加熱物２の占有領域の中心位置と大きさを算出するときの動作の流れの一例を示す詳細フローチャートである。
次に、被加熱物２の配置位置の特定と大きさを算出するときの動作について図７および図１１を用いて説明する。
以下の説明において、天板３の左右方向をＸ軸方向とし、前後方向をＹ軸方向とする。
また、被加熱物２の底の形状は、円形または楕円形のいずれかであることを前提とする。
また、被加熱物２をＸ軸方向では複数台並べて置くことができるが、Ｙ軸方向では１台しか置けないことを前提とする。また、被加熱物２はＸ軸方向で天板３からわずかにはみ出て配置されることは許可することとする。また、楕円形の鍋は天板３上で斜めに置かないことを前提とする。
また、表示部５は図１６（ａ）のように天板３の手前側の周囲に天板３の縁に沿って設けられているものとする。
【００３０】
以下、動作を説明する。
制御手段７４は、センサー７６から取得した情報に基づき、被加熱物２の天板３上の占有領域のＹ軸方向の最大位置と最小位置を特定する（ステップＳ１１０１）。次に、制御手段７４は、最大位置と最小位置の平均値をとることで非加熱物２のＹ軸方向の中心位置を算出し、この中心位置を通るＸ軸の中心位置に決定する（ステップＳ１１０２）。次に、制御手段７４は、センサー７６から取得した情報に基づき、被加熱物２の天板３上の占有領域のＸ軸方向の最大位置と最小位置を特定する（ステップＳ１１０３）。次に、制御手段７４は、Ｘ軸方向の最大位置と中心位置との距離Ｘ１および、Ｘ軸方向の最小位置と中心位置との距離Ｘ２を計算し、Ｘ１とＸ２を比較する（ステップＳ１１０４）。Ｘ１とＸ２が等しければ被加熱物２は天板３内にあると判定し、Ｘ１を２倍した値が被加熱物２のＸ軸方向の大きさであると推定する。また、制御手段７４は、Ｘ１がＸ２より大きければ、被加熱物２は天板３からわずかに左へはみ出していると判定し、Ｘ１を２倍した値が被加熱物２のＸ軸方向の大きさであると推定する。また、制御手段７４は、Ｘ２がＸ１より大きければ、被加熱物２は天板３からわずかに右へはみ出していると判定し、Ｘ２を２倍した値が被加熱物２のＸ軸方向の大きさであると推定する（ステップＳ１１０５）。
【００３１】
なお、被加熱物２の占有領域の中心位置と大きさの算出方法は、上記の方法に限られない。
【００３２】
この実施の形態１によれば、天板上の、被加熱物の占有領域、追加して被加熱物が置ける領域、および追加して置けない領域を表示するので、ユーザーは被加熱物が天板上のどこに置けるのかを一目で直感的に理解できる。また、加熱温度に対応して表示部の色を変化させるようにすれば、調理状態を直感的に把握でき、より使い勝手が良くなる。また、天板３上の被加熱物２を使用しない場合にはユーザーが非表示ボタンを押下することにより操作部７３自体を消去できるので、誤動作を防止することができ、安全性を高めることができる。また、調理中に被加熱物２が移動しても、移動先に表示部５が表示されるため、移動後の被加熱物の占有領域、追加して被加熱物が置ける領域、および追加して置けない領域をユーザーが直感的に理解できる。さらに、移動先で加熱効率を自動的に維持するようにすれば、操作上の利便性を損なうことなく継続して快適な調理が可能になる。
【００３３】
なお、この実施の形態では、使用する複数の被加熱物２の大きさはすべて異なることを前提としたが、これに限ることはなく、同じ大きさの被加熱物が複数ある場合でもその個数を記憶手段に記憶させておけば、制御手段は天板３上の空き領域に追加してどのような大きさの被加熱物２を置くことができるか判断することが可能である。
【００３４】
実施の形態２．
実施の形態１においては、追加して被加熱物が置ける領域があるかどうかの判断を予め記憶されている被加熱物の大きさと鍋間の距離との比較で行ったが（図１０のＳ１００８）、所定の距離（例えば１５ｃｍ）との比較で行うようにしても良い。すなわち、被加熱物同士の間隔、或いは天板３の端部に最も近い被加熱物２と天板３の端部との間隔が１５ｃｍ以上あれば、他の被加熱物２が置けると判断して、表示部５の色を載置可能であることを示す白色にする。一方、１５ｃｍ未満である場合には、他の被加熱物２は置けないと判断して、表示部５の色を載置不可能であることを示す緑色にする。
また、誘導加熱調理器の許容最大電力量（例えば６キロワット）に応じて記憶手段に被加熱物の載置可能最大数（例えば４個）を記憶させておき、制御手段７４が、センサー７６の出力に基づいて天板３に被加熱物２が載置される都度その数をカウントし、カウント値が前記載置可能最大数に達したら、これ以上載置できない旨をユーザーに伝えるために表示部５の表示を載置不可能を示す色に変えるようにしてもよい。さらに、許容される電力量の範囲内であるかどうかを判断するために、被加熱物の数に代えて、駆動されている加熱コイル４の数、或いは使用されている電力量を検知し、所定の閾値と比較するようにしても良い。この場合、電力量が閾値以下であれば、他の被加熱物を載置可能であると判断し、閾値を上回ったら載置不可能であると判断する。
また、被加熱物同士の間隔、或いは天板３の端部に最も近い被加熱物２と天板３の端部との間隔が所定距離以上である場合に、更に被加熱物の数を所定個数と比較して、追加して載置可能な個数であれば載置可能と判断し、追加できない個数であれば載置不可能と判断するようにしても良い。更に、電力量による判断を組み合わせても良い。
【００３５】
実施の形態３．
実施の形態１においては、表示部５を天板３の手前側または奥側に帯状に設けた例（図１５（ａ）参照）を示したが、これに限らず、加熱調理器本体の上面の周縁や前面のユーザーが見やすい部分に適宜設けることができる。例えば、本体上面の左右端に手前から奥に向けて設けるようにしても良い。これにより、天板３の奥側に被加熱物を置けるかどうかの判断が可能になり、自由な位置に被加熱物を配置できる加熱調理器の操作性をより向上させることができる。
また、本体の周縁に限らず、天板３の上面の適当な部分に帯状の表示部を設けても良い。例えば天板３の真ん中に左右方向に帯状の表示部を設ければ、奥行き方向に２列に被加熱物を載置可能な場合にわかり易い表示が可能である。
また、表示の方法も、ライン状の表示に限らず、図１５（ｂ）に示すように天板３の下方の加熱コイルの隙間に配置した複数の光源１０により面状に表示しても良い。この場合、他の被加熱物を置ける領域がより直感的にわかり易くなる。
また、図１５（ｃ）、図１５（ｄ）に示すように本体の側方や上方に複数の光源１０、或いは照射方向を変えられる光源１０を設け、この光源１０を用いて天板３を照らすことにより載置可能な領域を面状に表示すること等も可能である。この場合も、他の被加熱物を置ける領域がより直感的にわかり易くなるとともに、本体内部に光源１０等の部品を設ける必要がなくなる。更に、プロジェクターを用いて天板３に表示するようにしても良い。
【００３６】
実施の形態４．
実施の形態１では、誘導加熱コイル４の数に対応する数の温度検出器や容量検出器などのセンサー７６を誘導加熱コイル４の中心または誘導加熱コイル４間に配置して被加熱物２の配置位置を直接検出する場合について説明した。しかし、上記のセンサー７６の代わりに電流検出器１２１を用いて被加熱物２の配置位置を検出することも可能である。この実施の形態４では、このような態様の一例について説明する。
図１〜図６、図８〜図９および図１１はこの実施の形態４でも用いられる。
図１２は、この発明に係る誘導加熱調理器の実施の形態４における回路構成を示すブロック図である。図１１において図７と同符号は、同一または相当部分を示す。以下、異なる構成について説明する。電流検出器１２１は共振コンデンサ７５とインバータ７２との間を流れる高周波電流を検出するセンサーであり、例えばＡＣＣＴ（ＡＣカレントトランス）によって構成される。また、コンバータ７１を流れる直流電流を検出しても良く、この場合には例えば抵抗で直流電流器を構成し、この抵抗の両端に発生する電圧に基づいて電流を換算しても良く、あるいは直接ＤＣＣＴ（ＤＣカレントトランス）などによって直流電流器を構成しても良い。
【００３７】
次に、実施の形態４の動作について概説する。
図８〜図９の動作については、実施の形態１で説明したので説明を省略する。
実施の形態４の動作説明の事前準備として、電流検出の場合の動作を説明する。誘導加熱調理器の制御手段７４は動作を開始すると、センサーによる検出だけでなく、システム導入時に設定した時間を周期として周期的に誘導加熱コイル４に順次高周波電流を供給して電流検出器１２１からの検出信号を調べ、被加熱物２が載置されている場合にはその真下にある誘導加熱コイル４との磁気結合が大きくなるため、この誘導加熱コイル４には電流が流れ、被加熱物２が載置されていない位置では、その真下にある誘導加熱コイル４と被加熱物２との磁気結合が小さくなるため、この誘導加熱コイル４には電流が流れない。従って、すべての誘導加熱コイル４を順次駆動しながらインバータ７２の共通ラインに挿入されている電流検出器１２１が検出した電流を予め設定した基準値と比較し、電流検出器１２１が検出した電流が基準値を上回れば真上に被加熱物２が有ると判断し、なければ、真上に被加熱物２が無いと判断する。この場合、各誘導加熱コイル４毎に１回だけの電流検出ではノイズによって誤検出のおそれがあるので、数回の電流検出を行い、ずれの大きいデータを除いた上で平均をとる。そして、得られた平均値を基準値と比較する。以上の動作を天板３の下方に均一的に分散配置された全ての誘導加熱コイル４について順次行なえば、被加熱物２が天板３上の占有領域（範囲）を容易に判断することができる。
しかしながら、誘導加熱コイル４の数が多いほど順次駆動にかかる時間が長くなる。調理中も被加熱物２の移動があるか否かを監視するために、周期的に上記順次駆動を行うと、誘導加熱コイル４を本来の調理に割く時間よりも監視に割く時間の方が長くなる場合もあり、快適な調理ができなくなるだけでなく、調理に多大な支障を招く虞がある。
そこで、この実施の形態４では、誘導加熱コイル４の数よりも少ない数（例えば、誘導加熱コイル４の数の半分）のセンサー７６を分散配置して、このセンサー７６を用いて被加熱物２の有無やその占有領域の範囲を大雑把に（粗く）検出し、被加熱物２の占有領域が粗く検出できたら、検出された占有領域と取りこぼしを防ぐためにマージンとして周囲の領域も含めてこれらの領域に対応する誘導加熱コイル４に検査用電流を流し、その時の電流検出器１２１を用いて被加熱物２の占有領域を高精度に検出するように構成する。
【００３８】
以上の動作原理の下で、以下、制御手段７４の動作を説明する。
なお、上記の機能を実現するために、この実施の形態においては、使用する複数の被加熱物２の大きさ（底径）はすべて異なることを前提とし、また、被加熱物は略一列に左右方向に並べて配置することを前提として説明する。また、図示しない記憶手段を制御手段の内部または外部に設けておき、使用するすべての被加熱物２とその大きさを対応させてテーブル化して上記記憶手段に記憶させておき、また被加熱物２の天板３上の配置位置と大きさを記憶するように構成する。
電源スイッチが投入されると、制御手段７４は起動され、まず、表示部５の全領域に渡って白色の表示を行う。同時に制御手段７４は、誘導加熱コイル４の数より少ないセンサー７６を用いて周期的に天板３上の被加熱物２の配置位置を監視する。そして、被加熱物２が天板３上に載置されたとき、制御手段７４はセンサー７６からの検出信号に基づき被加熱物２の現在の占有領域を大雑把に推定し、この推定した被加熱物２の占有領域とその周辺の領域に対して、誘導加熱コイルを駆動してより高い精度で上記被加熱物２の現在の配置位置と大きさを推定する。そして、制御手段は、この推定した被加熱物２の大きさと、上記記憶手段に記憶された被加熱物２の大きさを照合することで天板３上の被加熱物２が鍋なのかやかんなのかフライパンなのかあるいはその他の容器なのかを特定する。そして、特定した被加熱物２の推定した現在の配置位置と、特定した被加熱物２の記憶手段に記憶された情報とを比較し、その結果変化がなかったときには制御手段７４は被加熱物２が移動しなかったと判断する。また、比較の結果、現在の配置位置と前回の配置位置が異なるとき、即ち配置位置に変化があったとき、制御手段７４は調理中に被加熱物２が移動したと判断する。制御手段は、初期時、あるいは比較の結果被加熱物２が移動しなかったと判断すると、載置された被加熱物２の占有領域の真下にあるすべての誘導加熱コイル（小型コイル）４を駆動するとともに表示部５の、被加熱物２の占有領域に対応する領域の表示の状態を変え、対応する位置に操作部７３を表示してこの操作部７３の機能を有効にする。
また、制御手段は、被加熱物２が移動したと判断すると、被加熱物２の移動先の配置位置が十分安定する時間経過後に、移動先の被加熱物２の占有領域の真下にあるすべての誘導加熱コイル（小型コイル）４を駆動するとともに表示部５の、移動先の被加熱物２の占有領域に対応する領域の表示の状態を移動前のそれと同じものに変え、対応する位置に操作部７３を表示してこの操作部７３の機能を有効にし、さらに前回の被加熱物の載置領域に対応する誘導加熱コイルを停止するとともに表示部５の前回の被加熱物２の占有領域に対応する領域の表示の状態を初期の表示態様に戻し、前回の被加熱物の配置位置に対応する位置の操作部７３を消去してその機能を無効にする。
なお、操作部７３の機能を有効にすることで、操作部７３はユーザーの操作を入力できるようになる。
【００３９】
図１３〜図１４は、この発明に係る誘導加熱調理器の実施の形態４の動作を示すフローチャートであり、制御手段の動作を示している。次に、この実施の形態４の動作について図１２〜図１４を用いて説明する。
ユーザーは、誘導加熱調理器を用いて調理を行う場合、まず誘導加熱調理器本体１に設けられた主電源スイッチ（図示せず）を投入する。これにより、誘導加熱調理器の制御手段７４は動作を開始し、まず、表示部５に全領域が白色の表示を行い（ステップＳ１３０１）、一定の時間遅れを周期として周期的にセンサー７６からの検出信号を基に被加熱物２が天板３上に有るか否かを大雑把に調べ（ステップＳ１３０２〜Ｓ１３０４）、無ければステップＳ１３０２へ戻り監視を継続し、被加熱物２が天板３上に有ればステップＳ１３０５へ進む。ユーザーが食品を収納した被加熱物２を天板３の上に載置すると、制御手段７４はセンサー７６が検出した信号から天板３上における被加熱物２が占有する領域を大雑把に特定する。次に、制御手段７４は、センサー７６によって粗く特定された被加熱物２の占有領域と精度を高くするためにマージンとして周囲の領域も含めてこれらの領域に対応する誘導加熱コイル４に検査用電流を流し、その時の電流検出器１２１を用いて被加熱物２の占有領域を高精度に検出するように構成する。特定された占有領域内のすべての誘導加熱コイル４に順次検査用電流を流しながら電流検出器１２１が検出した電流を基準値と比較する。そして基準値以上の電流が検出された誘導加熱コイル４の配置位置に基づいて被加熱物２の天板３上の占有領域を高精度に特定し、この占有領域の中心位置と大きさを算出する（ステップＳ１３０５〜Ｓ１３０７）。
【００４０】
次に、制御手段７４は表示部５の、被加熱物２の占有領域に対応する領域の表示色を緑色に変える（ステップＳ１３０８）。次に、制御手段７４は被加熱物２同士の間隔または天板３の端部に最も近い被加熱物２と天板３の端部との間の距離を算出し（ステップＳ１３０９）、これらとまだ載置されていない全ての被加熱物２の大きさとを比較して、上記間隔にいずれかの被加熱物が入るか否かを調べる（ステップＳ１３１０）。上記間隔にいずれの被加熱物も入らない場合には、その旨をユーザーに伝えるために、表示部５の上記間隔に対応する領域を点滅させて（ステップＳ１３１１）、ステップＳ１３１２へ進む。上記間隔にいずれかの被加熱物が入る場合には、そのままステップＳ１３１２へ進む。ステップＳ１３１２では、操作部（非表示ボタン）７３が操作済みか否かを調べる。最初はＮｏだから次のステップＳ１３１３へ進む。
【００４１】
次に、制御手段７４は予め記憶手段に記憶させておいた操作部７３の画像をタッチパネル７８上の、被加熱物２の中心位置付近に表示するとともに、この操作部７３の機能を有効にさせ、ユーザーからの操作入力を受け付ける状態にする（ステップＳ１３１３）。次に、制御手段７４は他に天板３上に他の被加熱物２が有るか否かを調べ、有れば、ステップＳ１３０７へ戻り、再び見つかった被加熱物２についてその中心位置と大きさの算出から操作部７３の表示までの動作を、鍋が見つからなくなるまで繰り返す（Ｓ１３０７〜Ｓ１３１４）。そして、これ以上見つからなくなれば（ステップＳ１３１４の無）、ユーザーがこの操作部７３を操作するか否か調べる（ステップＳ１３１５）。なお、このときの操作部７３の表示形態は図８（ｃ）または図９（ｃ）に示す通りである。ここで、ユーザーが被加熱物２の加熱調理を行う必要がない場合や加熱調理を行いたくない場合、ユーザー自身の意志で操作部７３を押す。これにより操作部７３の座標が制御手段７４に送られ、制御手段７４はこの操作部７３の座標を受信すると、操作部７３の画像を消去させその機能を無効にするとともに、対応する誘導加熱コイルを停止し、表示部５の対応領域の表示を初期状態に戻し（ステップＳ１３１６）、ステップＳ１３０２へ戻る。
【００４２】
ユーザーが操作部７３を押さない場合には、制御手段７４は前回の被加熱物２の中心位置が移動されたか否かを監視する。すなわち、制御手段７４は前回の全ての被加熱物２の中心位置と大きさを記憶手段から取得して、今回推定した被加熱物２の大きさと照合する。照合の結果、同じものが抽出できれば、この被加熱物の前回の中心位置と今回推定された中心位置とを比較して変化があるか否かを判定する（ステップＳ１３１７〜Ｓ１３１８）。比較の結果、同じであれば、移動はなかったと判定してステップＳ１３０２へ戻り、引き続き監視を継続する。比較の結果、測位に変化が有れば、移動したと判断して、前回の表示部５の表示を元に戻し（ステップＳ１３１９）、前回の操作部７３を消去するとともにその機能を無効にし（ステップＳ１０１８）、前回に対応する誘導加熱コイル４を停止してステップＳ１３０７へ戻り移動先の被加熱物の中心位置と大きさ算出、表示部５の表示、操作部７３の表示などを再開する。
【００４３】
この実施の形態４によれば、誘導加熱調理器の天板３上で被加熱物２を使って調理するユーザーの居場所に最も近い位置に操作部７３が自動的に表示され有効になるので、
ユーザーは被加熱物２を天板３上の自由な位置に配置でき、操作上の利便性の高い調理が可能になる。また、天板上の、被加熱物の占有領域およびその加熱状態、追加して被加熱物が置ける領域、および追加して置けない領域を表示するので、ユーザーはこれらの状態を一目で直感的に理解できる。また、天板３上の被加熱物２を使用しない場合にはユーザーが操作部７３を押下することにより操作部７３自体を消去できるので、誤動作を防止することができ、安全性を高めることができる。また、調理中に被加熱物２が移動しても移動先に最も近い位置の操作部７３が自動的に表示され有効になるので、加熱効率を自動的に維持するとともに調理中に操作上の利便性を損なうことなく継続して快適な調理が可能になる。また、最初は被加熱物２の占有領域を所定の精度で（大雑把に）特定し、次に特定した占有領域だけを高精度で特定するように構成したので、被加熱物２の占有領域を高速で特定することが可能になり、しかもセンサー７６の数を誘導加熱コイル４の数より少なくできるため、誘導加熱調理器を安価に供給できる。
【００４４】
なお、操作部７３を表示するタッチパネル７８上に上記表示部５を一緒に表示させてもよい。
また、予め、頻度の高い被加熱物２の場合や容器が大きく天板の真ん中におけば熱が逃げにくく加熱が効率的であるような場合、天板上の位置を予め設定しておき、その容器が天板３に載置されたとき、制御手段７４がこの被加熱物２をその大きさから特定できるので、特定したときにその配置位置が上記のような予め設定した位置からずれている場合、表示部５の、上記設定位置の表示を点滅などや色を変えてユーザーに上記設定位置へ被加熱物を移動するように促すようにしてもよい。この構成により省電力を図れる。
また、以上の実施の形態では警報として表示部の表示を点滅するようにしたが、これに限らず、音声も利用することができ、さらに効果を上げることができる。
【図面の簡単な説明】
【００４５】
【図１】この発明に係る誘導加熱調理器の斜視図である。
【図２】天板３と表示部５のレイアウトを示した図である。
【図３】この発明に係る誘導加熱調理器の被加熱物の載置位置に連動した表示部の表示例を示す図である。
【図４】この発明に係る誘導加熱調理器の誘導加熱コイル（小型コイル）のレイアウトを示す図である。
【図５】この発明に係る誘導加熱調理器の被加熱物検出用センサーのレイアウト例を示す図である。
【図６】この発明に係る誘導加熱調理器の被加熱物検出用センサーとして発光手段と受光手段を用いた場合の光の照射方法を分かりやすく示した説明図である。
【図７】この発明に係る誘導加熱調理器の実施の形態１における回路構成を示すブロック図である。
【図８】この発明に係る誘導加熱調理器の天板上での被加熱物と表示部の表示との関係を示す説明図（その１）である。
【図９】この発明に係る誘導加熱調理器の天板上での被加熱物と表示部の表示との関係を示す説明図（その２）である。
【図１０】この発明に係る誘導加熱調理器の実施の形態１の動作を示すフローチャートである。
【図１１】被加熱物の占有領域の中心位置と大きさを算出するときの動作の流れを示す詳細フローチャートである。
【図１２】この発明に係る誘導加熱調理器の実施の形態４における回路構成を示すブロック図である。
【図１３】この発明に係る誘導加熱調理器の実施の形態４の動作を示すフローチャートである。
【図１４】この発明に係る誘導加熱調理器の実施の形態４の動作を示すフローチャートである（続き）。
【図１５】この発明に係る誘導加熱調理器の表示の方法を示す図である。
【符号の説明】
【００４６】
１  本体、２  被加熱物（鍋）、３  天板、４  誘導加熱コイル（小型コイル）、５  表示部、６  本体側操作部、７  ロースタ、１０  光源、７１  コンバータ、７２  インバータ、７３  操作部（非表示ボタン）、７４  制御手段、７５  共振コンデンサ、７６  センサー、７７  鍋検出回路、７８  タッチパネル、１２１  電流検出器。
【図１】
0005106201.tif 000002
【図２】
0005106201.tif 000003
【図３】
0005106201.tif 000004
【図４】
0005106201.tif 000005
【図５】
0005106201.tif 000006
【図６】
0005106201.tif 000007
【図７】
0005106201.tif 000008
【図８】
0005106201.tif 000009
【図９】
0005106201.tif 000010
【図１０】
0005106201.tif 000011
【図１１】
0005106201.tif 000012
【図１２】
0005106201.tif 000013
【図１３】
0005106201.tif 000014
【図１４】
0005106201.tif 000015
【図１５】
0005106201.tif 000016